(57)【特許請求の範囲】
【請求項１】
第１発信元、第２発信元、転送先とそれぞれ交換機を介して接続され、前記第１発信元との応答後に前記第１発信元の通話を転送先へ転送する応答後転送機能および前記第１発信元と通話中に前記第２発信元の通話を割り込ませる通信中着信機能が設定される通信端末装置であって、前記第１発信元と通話中に前記第２発信元の通話を割り込ませるときに送出される前記交換機からの通信中着信表示音を検出する通信中着信表示音検出手段を設けるとともに、前記通信中着信表示音検出中は前記第１発信元の通話を転送先へ転送することができないことを報知する手段を設けたことを特徴とする通信端末装置。
【請求項２】
前記通信中着信表示音を検出すると応答後転送を中断し、前記通信中着信表示音が終了すると前記応答後転送を再開する手段を設けたことを特徴とする、請求項１に記載の通信端末装置。
【請求項３】
前記第１発信元との通信中に、通信中着信表示音を検出したときに鳴動する疑似ベルを設けたことを特徴とする請求項１または請求項２に記載の通信端末装置。
【発明の詳細な説明】
【０００１】
【発明の属する技術分野】
本発明は、回線業者がサ−ビスする通話の応答後転送モ−ドと、通信中着信機能（キャッチホン機能）が並立して設定されている場合に、両者の機能が円滑に実現できる構成とした通信端末装置に関する。
【０００２】
【従来の技術】
ファクシミリ装置においては、コピ−機能を併せ持つ複合機として構成されるものが知られている。このような複合機は、一般にオ−トドキュメントフィ−ダ（ＡＤＦ）や、フラットベッドスキャナ（ＦＢＳ）として機能するフラットベッド型の読み取り用原稿載置台が備え付けられている。
【０００３】
複合機で原稿をコピ−する際には、コピ−部数や原稿の種類（通常の文字や図形のイメ−ジ情報か写真か）に応じた読み取りモ−ド（解像度）を指定してから、スタ−トボタンを押して原稿の読み取りを開始し、指定した部数の記録紙にコピ−プリントしている。
【０００４】
前記複合機等の通信端末装置においては、通話機能を有するものや、発信元から送信される画像を受信して、受信した画像を予め設定されている転送先に転送する機能を有するものが知られている。
【０００５】
画像を転送する場合には、発信元から送信された画像を交換機を通して通信端末装置が受信して画像メモリに記憶する。通信端末装置は転送元となって、受信した画像を必要に応じて交換機を通して転送先に転送する。
【０００６】
また、通話機能を有する通信端末装置においては、回線業者がサ−ビスする転送機能を用いて、通信端末装置で着信した発信元からの通話を転送先に転送する構成とすることができる。通信端末装置は、異なる時間に着信した通話をそれぞれ指定された転送先に順次転送する。
【０００７】
このような通話転送の一形態として、応答後転送モ−ドが知られている。応答後転送モ−ドは、転送元で一旦通話に応答してから転送先に転送するものである。通話の応答後転送の機能を用いる際には、転送元である通信端末装置で自動転送有りの設定をする。
【０００８】
また、回線業者からは、通話中に他の通話を割込ませる通信中着信機能（キャッチホン）のサ−ビスが提供されている。このキャッチホンには、割込み通話を録音するキャッチホンＩＩのサ−ビスも提供されている。このように、通信端末装置には、回線業者がサ−ビスする通話の応答後転送モ−ドと、キャッチホンの機能が並立して設定されている場合がある。
【０００９】
前記のような応答後転送を自動的に行なう通信端末装置においては、着呼後に、フックスイッチまたはフックボタンを押してフッキングすることによりオフフック（応答信号）を交換機に送出して、一時的に通話状態を形成する。交換機は、この応答信号を受信すると発信元からの通話を転送先に転送する。
【００１０】
また、キャッチホンの契約をしている通信端末装置においては、通話中に呼び出し信号（通信中着信表示音：ＩＩＴ）を受信すると、フックスイッチまたはフックボタンを押してフッキングすることによりオフフック（応答信号）を交換機に送出して、割込み発呼者と通話する。
【００１１】
【発明が解決しようとする課題】
このように、通信端末装置に回線業者がサ−ビスする通話の応答後転送モ−ドと、通信中着信機能（キャッチホン）が並立して設定されている場合には、いずれの機能も通信状態のときにフッキングすることが必要となる。
【００１２】
しかしながら、通信状態のときにフッキングされると、キャッチホンの機能が優先して作動する。このため、通話の応答後転送ができない状態となるが、利用者は応答後転送ができない理由が分からないので対応に手間取るという問題があった。
【００１３】
また、通話の応答後転送モ−ドで動作中にキャッチホンの割込み信号があると、前記ＩＩＴ信号が通信端末装置に送出される。しかしながら、通信端末装置の利用者は電話機を置いた状態（オンフック）であるので、このＩＴＴ信号を聞き取ることができず、割込み発呼者と通話をすることができないという問題があった。
【００１４】
本発明は、かかる現状に鑑みてなされたものであり、回線業者がサ−ビスする通話の応答後転送モ−ドと、通信中着信機能（キャッチホン機能）が並立して設定されている場合に、両者の機能が円滑に実現できる通信端末装置の提供を目的とする。
【００１５】
【課題を解決するための手段】
上記目的は、請求項１に係る発明において、通信端末装置を、第１発信元、第２発信元、転送先とそれぞれ交換機を介して接続され、前記第１発信元との応答後に前記第１発信元の通話を転送先へ転送する応答後転送機能および前記第１発信元と通話中に前記第２発信元の通話を割り込ませる通信中着信機能が設定される通信端末装置であって、前記第１発信元と通話中に前記第２発信元の通話を割り込ませるときに前記交換機から送出される通信中着信表示音を検出する通信中着信表示音検出手段を設けるとともに、前記通信中着信表示音検出中前記第１発信元の通話を転送先へ転送することができないことを報知する手段を設けた構成とすることによって達成することができる。
【００１６】
また、請求項２に係る発明は、前記通信中着信表示音を検出すると応答後転送を中断し、前記通信中着信表示音が終了すると前記応答後転送を再開する手段を設けたことを特徴としている。
【００１７】
また、請求項３に係る発明は、請求項１または請求項２に記載の通信端末装置において、前記第１発信元との通信中に、通信中着信表示音を検出したときに鳴動する疑似ベルを設けたことを特徴としている。
【００１８】
請求項１に係る発明の上記特徴によれば、応答後転送で第１発信元との通信中に第２発信元からの着信があるときに、交換機から送出される通信中着信表示音（ＩＩＴ信号）を検出する手段と、前記ＩＩＴ信号検出中は応答後転送はできないことを報知する手段とを設けている。このため、利用者は応答後転送ができない理由を認識することができる。
【００１９】
請求項２に係る発明によれば、前記ＩＩＴ信号を検出すると応答後転送を中断し、ＩＩＴ信号が終了すると応答後転送を再開する手段を設けている。このため、通信中着信機能が設定されている場合でも応答後転送を支障なく実行することができる。
【００２０】
請求項３に係る発明によれば、第１発信元との通信中に、ＩＩＴ信号を検出したときに鳴動する疑似ベルを設けている。このため、利用者は通信中着信（キャッチホン）があったことを認識して、割込み通話に対応することができる。
【００２１】
【発明の実施の形態】
以下、本発明の実施の形態について図面を参照して説明する。図１は、通話機能を有する通信端末装置を配置した例を示すブロック図である。図１において、１は発信元（第１発信元）、１ａは割込み発呼者（第２発信元）、２は交換機、３は転送元の通信端末装置、４、５は転送先である。
【００２２】
このような通信端末装置３において、回線業者がサ−ビスする応答後転送機能が設定されるものとする。この場合には、発信元１からの通話があるときに、交換機２は転送元である通信端末装置３の電話を呼び出して、通信端末装置３で応答すると交換機２が転送先４、５にこの通話を転送する。
【００２３】
また、通信中着信機能（キャッチホン機能）が通信端末装置３に設定されているものとすると、発信元１（第１発信元）と通話中に、割込み発呼者１ａ（第２発信元）からの発呼信号があると、交換機２からは通信端末装置３に対してＩＩＴ信号（通信中着信表示音）が送出される。
【００２４】
本発明においては、通信端末装置３に通話の応答後転送機能と、キャッチホン機能が並立して設定されている場合に、着信後キャッチホンの割込み信号により交換機からＩＩＴ信号が到来すると、通信端末装置にＩＩＴ信号検出中は応答後転送はできない旨を報知する手段を設けている。
【００２５】
また、応答後転送モ−ドで動作中にＩＩＴ信号を検出すると応答後転送を中断し、ＩＩＴ信号の終了後に応答後転送を再開している。さらに、応答後転送モ−ドで動作中にＩＩＴ信号を検出すると、疑似ベルを鳴動して利用者に割込み通話がある旨を報知している。
【００２６】
図２は本発明の通信端末装置の制御装置を示す概略のブロック図である。次にこのブロック図について説明する。図２において、通信端末装置の制御装置１１は、各種信号やデ−タを処理するための制御部１２を有している。この制御部１２は、例えばＣＰＵ（中央処理装置）により構成されている。
【００２７】
制御部１２には、回線制御部（ＮＣＵ）１４、モデム１５、画像メモリ１６、ＲＡＭ１７、ＲＯＭ１８、表示部１９、操作部２０、読取部２１、記録部２２、音声圧縮メモリ２３、音声コ−デック２６、フックスイッチ２７、画像コ−デック２８、ブザ−２９が接続されている。
【００２８】
回線制御部１４は、図示を省略している交換機を介して外部回線１３と接続され、相手先のダイヤル番号に対応したダイヤルパルスの送出、及び着信を検出する。ＶＦモデム１５は、ＩＴＵ（国際通信連合）のＴ．ｓｖｆ（音声ファクシミリ同時通信端末）勧告に基づいて構成されており、画像と音声の通信を可能としている。なお、ＳＶＦモデム１５に代えて音声機能付のモデムを使用することもできる。
【００２９】
画像メモリ１６は、前記回線制御部１４とＳＶＦモデム１５からなる通信部により送受信される画像を格納する。ＲＡＭ１７は予約送信またはメモリ受信における管理デ−タが格納される。また、転送先の電話番号を予め設定しておく転送テ−ブルが格納される。ＲＯＭ１８には通信端末装置の各種動作に必要なデ−タやプログラムが格納される。
【００３０】
陰極線管（ＣＲＴ）や液晶表示器（ＬＣＤ）を用いた表示部１９には、通信端末装置の動作に必要な各種メッセ−ジが表示される。キ−ボ−ドやマウス等からなる操作部２０は通信端末装置の各種動作、停止を指示する。また、原稿の画像の拡大倍率を設定する。
【００３１】
読取部２１は、送信側から送信されてきた原稿の画像を読み取る。両面原稿を読み取る場合は、表面の画像の読み取りと、裏面の画像の読み取りを行なう。記録部２２は送信側から送信されてきた画像を記録紙に記録する。画像の記録は、記録紙の両面に行なう場合と記録紙の片面に行なう場合がある。
【００３２】
前記記録部２２には電子写真方式のプリンタを設け、受信画像や光学読取系で読み取られた画像を、図示しない給紙カセットから供給される定形サイズの記録紙上にコピ−する。なお、プリンタでは各種デ−タを記録紙に記録することができる。音声圧縮メモリ２３には、録音した通話の内容が記憶される。
【００３３】
また、操作部２０には各種キ−が設けられている。例えば、コピ−・ファクシミリ複合機をコピ−モ−ドとファクシミリ通信モ−ドとのいずれの機能を選択するかのコピ−／通信キ−、原稿が文字等のイメ−ジ情報か写真情報かに応じてコピ−の読み取りモ−ド（解像度）を設定する読み取りモ−ドキ−、自動縮小、自動記録紙選択モ−ドを設定するキ−等の各種動作モ−ドを設定するキ−が設けられている。
【００３４】
制御部１２は画像メモリ１６に格納されている画像を読み出し、当該画像を所定の転送先に転送する。また、録音された通話の内容を音声圧縮メモリから２３から読み出して所定の転送先に転送したり、録音されたメッセージを音声圧縮メモリから２３から読み出して発信元に送信することができる。なお、時計部を設けて現在時刻をカウントし、その出力を用いて受信した原稿にその時点の時刻を印字することも可能である。
【００３５】
ハンドセット２４は、通信端末装置の通話用補助電話器を構成し、Ａ／Ｄ、Ｄ／Ａ変換部２５を介して、デジタル音声信号を符号化・復合化処理する音声コ−デック２６に接続される。フックスイッチ２７は、ハンドセット２４のオンフック、オフフックを検出する。
【００３６】
なお、図２の例では、フックスイッチ２７を外部回線１３に接続して、外部回線１３の電圧を用いてハンドセット２４のオンフック、オフフックを検出しているが、ハンドセット２４自体を検出する機械式スイッチによってもハンドセット２４のオンフック、オフフックを検出することができる。
【００３７】
また、図２の例では、ハンドセット２４をＡ／Ｄ、Ｄ／Ａ変換部２５を介して、音声コ−デック２６に接続しているが、ＮＣＵ１４から通常の信号線でハンドセット２４を接続して、音声信号を外部回線１３に送出する構成としてもよい。
【００３８】
画像コ−デック２８は、読み取り画像を送信相手先装置の復号能力に合わせて符号化（エンコ−ド）する。また、受信画像を復合化（デコ−ド）し、最も圧縮率の高いＭＭＲ方式またはＪＢＩＧ方式で再符号化して画像メモリに格納する。ブザ−２９は、呼び出しアラ−ムを鳴動する。
【００３９】
通信端末装置からは、通話時に「後程おかけなおし下さい」等の音声ガイダンスを外部回線１３に送出する。このような音声ガイダンスは、製造時に予めＲＯＭ１８に格納しておくことができる。また、ユ−ザがハンドセット２４からメッセ−ジを吹き込み、音声圧縮メモリ２３に登録しても良い。
【００４０】
図３は、制御装置１１の別の構成を部分的に示すブロック図である。図３の例では、回線制御部１４の具体的構成が示されている。図３において、回線制御部１４は、第１のスイッチＳａと第２のスイッチＳｂが設けられている。また、着信検出部１４ａ、直流電圧およびベル信号発生部１４ｂ、オフフック検出部１４ｃが設けられている。
【００４１】
図３において、前記オフフック検出部１４ｃはハンドセット２４に流れる電流を検出している。スイッチＳｂがａ接点側に投入されているときには、回線１３のから電流を検出する。また、スイッチＳｂがｂ接点側に投入されているときには、直流電圧およびベル信号発生部１４ｂからの電流を検出する。なお、前記オフフック検出部１４ｃはハンドセット２４自体を検出する機械式スイッチを用いても良い。また、ＮＣＵ１４から通常の信号線でハンドセット２４を接続して、音声信号を外部回線１３に送出する構成としている。
【００４２】
図３の状態で、発信元の発呼信号の着信を着信検出部１４ａで検出すると、スイッチＳａが閉結され、また、直流電圧およびベル信号発生部１４ｂのベルが鳴動する。着信の報知を図２のブザ−２９が鳴動する構成としても良い。利用者がハンドセット２４を持ち上げるとスイッチＳｂは接点ａ側に切り替わり、ハンドセット２４は外部回線１３と接続されて通話可能となる。
【００４３】
この際にオフフック検出部１４ｃは、ハンドセット２４のオフフックを検出する。また、スイッチＳａが閉結されると画像と音声がＳＶＦモデム１５を通して送受信される。次に、通話中にフッキングすることによりスイッチＳｂが接点ｂ側に切り替わる。
【００４４】
図４〜図８は、本発明の処理手順を示すフロ−チャ−トである。次に、このフロ−チャ−トについて説明する。
【００４５】
（１）ステップＳ１で処理プログラムを開始し、ステップＳ２で着呼有かどうかを判定する。この判定結果がＮＯ（以下、Ｎと略記する）であれば、ステップＳ２の処理の待機状態となる。着呼有りとなってステップＳ２の判定結果がＹＥＳ（以下、Ｙと略記する）であれば、続いてステップＳ３の処理で呼出音（ＣＮＧ）有りかどうかを判定する。
【００４６】
（２）ステップＳ３の判定結果がＹであれば、ステップＳ４の処理でファクス通信を行い、ステップＳ３８で処理プログラムを終了する。また、ステップＳ３の判定結果がＮであれば、ステップＳ５の処理に移行して自動転送設定かどうかを判定する。
【００４７】
（３）ステップＳ５の判定結果がＹであれば、ステップＳ６の処理に移行して、図３のスイッチＳａが閉じて回線を閉結し電話機を回線から切り離す。すなわち、図３のスイッチＳｂは接点ｂ側に切り替わる。電話機には、図３の直流電圧／ベル信号発生部１４ｂから直流を供給する。
【００４８】
（４）次に、ステップＳ７の処理で「転送しますのでお待ち下さい」の音声応答メッセ−ジをＳＶＦモデム１５を通して発信元に出力する。続いて、ステップＳ８の処理でキャッチホン割込みのＩＩＴ信号（通信中着信表示音）検出かどうかを判定する。この判定結果がＹであれば、通話の応答後転送中に割込み通話が到来したことになるので、次にステップＳ１０の処理で呼び出しベル（疑似ベル）を鳴動させて、応答後転送を一時的に中断してキャッチホンの割込み通話があることを報知する。
【００４９】
（５）次にステップＳ１１の処理でオフフックかどうかを判定する。この判定結果がＮであれば利用者はまだハンドセットを持ち上げていないので、ステップＳ８の処理に戻り、ステップＳ８〜ステップＳ１１のル−プ処理を繰り返す。図３の電話機（ハンドセット）２４が持ち上げられてスイッチＳｂが接点ａ側に切り替りオフフックになると、ステップＳ１１の判定結果がＹとなり、ステップＳ１２の処理に移行する。
【００５０】
（６）ステップＳ１２の処理では回線を電話機に切り替え、割込み発呼元との通話が可能な状態とする。次にステップＳ１３の処理でオフフックかどうかを判定する。このときの判定結果はＹとなり、続いてステップＳ１４の処理でＩＩＴ信号検出かどうかを判定する。この判定結果もＹであるから、ステップＳ１５の処理に移行する。ステップＳ１３の判定結果がＮであれば、通話が終了して電話機が置かれてスイッチＳｂはｂ接点側に切り替わっているので、ステップＳ３８で処理プログラムを終了する。
【００５１】
（７）ステップＳ１５では”キャッチホンが入っています。フッキングすると割込み発信音に切り替わります。現在転送はできません”のメッセ−ジを表示する。次にステップＳ１６の処理で転送ボタン押し下げかどうかを判定する。この場合には、前記ステップＳ１５で転送はできない状態であることが表示されているので、転送ボタン押し下げの有無（Ｙ／Ｎ）に拘らずステップＳ１７の処理に移行する。
【００５２】
（８）ステップＳ１７の処理では、フッキングボタン押し下げかどうかを判定する。この判定結果がＹであれば、ステップＳ１８の処理に移行して前記ステップＳ１５の処理で説明した転送不可の表示をクリアする。続いてステップＳ１９の処理で割込み発呼者と通話する。ステップＳ１７の判定結果がＮであれば、ステップＳ１３の処理に戻りオフフックかどうかを判定する。
【００５３】
（９）次にステップＳ２０の処理で再度のフッキングボタン押し下げかどうかを判定する。この判定結果がＮであればステップＳ１９の処理に戻り、ステップＳ１９、ステップＳ２０のル−プ処理を繰り返す。割込み発呼者との通話が終了して再度のフッキングボタン押し下げがなされると、ステップＳ２１の処理に移行して元の通話者と通話する。次にステップＳ１３の処理に戻りオフフックかどうかを判定する。
【００５４】
（１０）前記ステップＳ５の処理で、応答後転送の自動転送設定でないと判定されると（判定結果Ｎ）ステップＳ９の処理でオフフックかどうかを判定する。この判定結果がＮであれば、ステップＳ２の処理の待機状態となる。ステップＳ９の判定結果がＹであればステップＳ１３の処理に移行してオフフックかどうかを判定する。
【００５５】
（１１）前記ステップＳ８の処理において、キャッチホン割込みのＩＩＴ信号（通信中着信表示音）が検出されずに判定結果がＮになると、次にステップＳ２２の処理でフッキングを送出する。続いてステップＳ２３の処理で記憶部に格納されている転送先電話番号を読み出して送出する。
【００５６】
（１２）次にステップＳ２４の処理で相手先が応答したかどうかを判定する。この判定結果がＹであれば、ステップＳ２５の処理で転送が成功したものとして回線を切断し、ステップＳ３８で処理プログラムを終了する。
【００５７】
（１３）前記ステップＳ２４の判定結果がＮであれば、ステップＳ２６の処理でタイムアップかどうかを判定する。この判定結果がＮであればステップＳ２４の処理に戻り、ステップＳ２４、ステップＳ２６のル−プ処理を繰り返す。タイムアップになるとステップＳ２６の判定結果がＹとなってこのル−プ処理を抜け、ステップＳ２７の処理に移行してフッキングを行なう。
【００５８】
（１４）次にステップＳ２８の処理に移行して”転送先も通話中です。後程おかけください”の音声メッセ−ジを発信元に通知する。続いてステップＳ２９の処理で回線を切断してステップＳ３８で処理プログラムを終了する。
【００５９】
（１５）前記ステップＳ１４の処理において、キャッチホンの割込み信号が終了してＩＩＴ信号検出の判定結果がＮになると、ステップＳ３０の処理に移行してフッキングボタン押し下げかどうかを判定する。この判定結果がＮであれば、次にステップＳ３１の処理で転送先ボタン押し下げかどうかを判定する。この判定結果がＹであれば、続いてステップＳ３２の処理でフッキングを送出し、次にステップＳ３３の処理で記憶部に格納されている転送先電話番号を読み出す。続いてステップＳ３６の処理で転送番号を送出する。
【００６０】
（１６）前記ステップＳ３１の判定結果がＮであれば、ステップＳ１３の処理でオフフックかどうかの判定を行なう。また、ステップＳ３０の判定結果がＹでフッキングボタン押し下げと判定されると、次にステップＳ３４の処理でフッキングを送出し、次にステップＳ３５の処理で転送先番号を操作入力する。続いて前記ステップＳ３６の処理で転送番号を送出する。
【００６１】
このように、応答後転送を中断してキャッチホンの割込み通話を行なった後に、ステップＳ３０、ステップＳ３４、ステップＳ３５、ステップＳ３６の処理で、すなわち、フッキングとダイヤル操作で応答後転送を再開することができる。また、ステップＳ３１、ステップＳ３２、ステップＳ３３、ステップＳ３６の処理でも、フッキングと転送先番号読み出しにより応答後転送を再開することができる。
【００６２】
（１７）前記ステップＳ３６の処理に続いて、ステップＳ３７の処理でオフフックかどうかの判定を行なう。この判定結果がＹのときにはステップＳ３７のル−プ処理を繰り返す。オンフックとなってステップＳ３７の判定結果がＮになると、ステップＳ３８で処理プログラムを終了する。
【００６３】
このように、本発明においては、通信端末装置に応答後転送が設定されているときに（ステップＳ５）、通話中にＩＩＴ信号を検出すると、転送できないことを利用者に報知するので（ステップＳ１３〜ステップＳ１５）、利用者は応答後自動転送ができないことを認識することができる。
【００６４】
また、通信端末装置に応答後転送が設定されているときに（ステップＳ５）、ＩＩＴ信号を検出すると、呼び出しベルを鳴動して利用者に割込み通話があることを報知し、電話機を持ち上げてオフフックとなることを検出している（ステップＳ８、ステップＳ１０、ステップＳ１１）。このため、利用者は割込み発呼者と通話することができる（ステップＳ１９）。
【００６５】
【発明の効果】
以上詳細に説明したように、請求項１に係る発明の上記特徴によれば、応答後転送で第１発信元との通信中に第２発信元からの着信があるときに、交換機から送出される通信中着信表示音（ＩＩＴ信号）を検出する手段と、前記ＩＩＴ信号検出中は応答後転送はできないことを報知する手段とを設けている。このため、利用者は応答後転送ができない理由を認識することができる。
【００６６】
請求項２に係る発明によれば、前記ＩＩＴ信号を検出すると応答後転送を中断し、ＩＩＴ信号が終了すると応答後転送を再開する手段を設けている。このため、通信中着信機能が設定されている場合でも応答後転送を支障なく実行することができる。
【００６７】
請求項３に係る発明によれば、第１発信元との通信中に、ＩＩＴ信号を検出したときに鳴動する疑似ベルを設けている。このため、利用者は通信中着信（キャッチホン）があったことを認識して、割込み通話に対応することができる。
【図面の簡単な説明】
【図１】本発明の実施の形態に係る通信端末装置を用いた構成例を示すブロック図である。
【図２】通信端末装置の制御装置の構成を示すブロック図である。
【図３】制御装置の別の構成を部分的に示すブロック図である。
【図４】本発明の処理手順を示すフロ−チャ−トである。
【図５】本発明の処理手順を示すフロ−チャ−トである。
【図６】本発明の処理手順を示すフロ−チャ−トである。
【図７】本発明の処理手順を示すフロ−チャ−トである。
【図８】本発明の処理手順を示すフロ−チャ−トである。
【符号の説明】
１、１ａ  発信元
２    交換機
３    通信端末装置
４、５  転送先
１１    制御装置
１２    中央演算制御部（ＣＰＵ）
１３    外部回線
１４    回線制御部（ＮＣＵ）
１５    ＳＶＦモデム
１６    画像メモリ
１９    表示部
２０    操作部
２１    読取部
２２    記録部
【図１】
0003731449.tif 000002
【図２】
0003731449.tif 000003
【図３】
0003731449.tif 000004
【図４】
0003731449.tif 000005
【図５】
0003731449.tif 000006
【図６】
0003731449.tif 000007
【図７】
0003731449.tif 000008
【図８】
0003731449.tif 000009